(57)【要約】      （修正有）【課題】簡単な係止構造で、且つ、コスト的にも安くできる係止構造を見出し、また、同時に装飾デザインのバリエーションを豊富にする。【解決手段】基体部２２ａに切欠部２２ｃを設け、その切欠部２２ｃに湾曲して外部に突出したフック部２２ｂを基体部２２ａと一体的に配設し、そのフック部２２ｂの下方側に穴２２ｄを設けて第２の装飾部材２２を構成する。第１の装飾部材２１の引掛け部２１ｄを第２の装飾部材２２のフック部２２ｂに引掛け、その後に、第３の装飾部材２３を第２の装飾部材２２の穴２２ｄに適度な摩擦抵抗を持たせて係合させる。第３の装飾部材２３が第２の装飾部材２２の穴２２ｄに係合すると、フック部２２ｂの先端２２ｂ２と第３の装飾部材２３との間隙が第１の装飾部材２１の引掛け部２１ｄの太さより小さくなって、第１の装飾部材２１の引掛け部２１がフック部２２ｂより外れない。【選択図】図１
0003140698.tif 000002
【実用新案登録請求の範囲】
【請求項１】
少なくとも第１の装飾部材と第２の装飾部材と第３の装飾部材を有して、前記第１の装飾部材と前記第２の装飾部材と前記第３の装飾部材とを連結して係止する係止構造において、
前記第１の装飾部材は環状の引掛け部を有し、
前記第２の装飾部材は湾曲して外部に突出したフック部と該フック部の先端近傍に前記第３の装飾部材を係合させる係合手段を有しており、
前記第２の装飾部材の前記フック部に前記第１の装飾部材の前記環状の引掛け部を挿入し、その後に前記第２の装飾部材の前記係合手段に前記第３の装飾部材を係合させることによって、前記第１の装飾部材の前記環状の引掛け部が前記第２の装飾部材に係合した前記第３の装飾部材に当接して前記第２の装飾部材の前記フック部から外れないで、前記第１の装飾部材と前記第２の装飾部材と前記第３の装飾部材とが連結して係止されることを特徴とする装飾部材の係止構造。
【請求項２】
前記第２の装飾部材は前記フック部を有する部位に切欠部を有し、前記第１の装飾部材の前記環状の引掛け部を前記切欠部を介して前記フック部に挿入することを特徴とする請求項１に記載の装飾部材の係止構造。
【請求項３】
前記第２の装飾部材に有する係合手段は前記第３の装飾部材が適度な摩擦抵抗をもって挿嵌する穴からなることを特徴とする請求項１又は２に記載の装飾部材の係止構造。
【請求項４】
前記第２の装飾部材に有する係合手段は前記第３の装飾部材の両端を挟持する対向して設けた一対の第２のフック部からなることを特徴とする請求項１又は２に記載の装飾部材の係止構造。
【請求項５】
前記第２の装飾部材に有する係合手段は前記第３の装飾部材を押圧する板バネからなることを特徴とする請求項１又は２に記載の装飾部材の係止構造。
【請求項６】
前記第２の装飾部材に有する係合手段は前記第３の装飾部材を挟持する対向して設けた一対の板バネからなることを特徴とする装飾部材の係止構造。
【請求項７】
前記第３の装飾部材は身体又は着衣に装着されることを特徴とする請求項１乃至６のいずれかに記載の装飾部材の係止構造。
【請求項８】
前記第３の装飾部材は複数条に巻回した線材からなることを特徴とする請求項１乃至３のいずれかに記載の装飾部材の係止構造。
【請求項９】
指輪、ブレスレッド、ネックレス、ブローチなどの装飾品において、前記装飾品は前記請求項１乃至８のいずれかに記載の装飾部材の係止構造を有することを特徴とする装飾品。
【考案の詳細な説明】
【技術分野】
【０００１】  本考案は指輪、ブレスレット、ネックレスなどの装飾品に関し、特に、複数の装飾部材を組み合わせて構成する装飾品に関する。
【背景技術】
【０００２】  装飾品の中には、複数の装飾部材を組み合わせて装飾品を形成し、装飾デザインなどの斬新性を高めたものなどがある。例えば、下記の特許文献１に記載された装飾品もその一つに挙げられる。【０００３】  図１４は特許文献１に記載された装身具（装飾品）の一例としてのブローチの正面図（図１４の（ａ））、背面図（図１４の（ｂ））、側面図（図１４の（ｃ））を示したものである。このブローチ１は、背面にブローチを衣服に取付ける取付けピン２が設けられているが、その他に別の装飾品を取付ける連結具として、鎖１２が取付けられている。鎖１２は、両端を着脱自在な環状金具１３によって、係止金具１４ａ、１４ｂに取付けている。別の係止金具１４ｃも設けられており、鎖１２の端部をこの係止金具１４ｃに取付けると、鎖１２の垂れ下がり長さが変化する。【０００４】  また、鎖１２には、ブローチ１とは別の、ペンダントトップ等１１が取付けられている。ペンダントトップ等１１は、取替可能であるから、連結具である鎖１２を設けたことにより、ブローチ１に種々の異なるデザインを付加することができるとされている。【０００５】
【特許文献】  特開平９−２９９１１６号公報
【考案の開示】
【考案が解決しようとする課題】
【０００６】  特許文献１に示されたブローチ１はブローチの本体と鎖１２を介してペンダントトップ等１１を組み合わせて構成したものとなっており、鎖１２は両端に環状金具１３を設け、両端の環状金具１３をブローチの本体に設けた係止金具１４ａ、１４ｂに係止して、ブローチの本体とペンダントトップ等１１を連結している。【０００７】  このような連結構造、係止構造を取る限りにおいては、特に、細い鎖を使用する場合などは鎖との外観的なバランスから特に小さい環状金具１３を用いることが必要とされる。小さい環状金具１３を用いた場合には係止時における取扱い作業に慎重さを必要とする。
また、ブローチの本体に係止金具１４ａ、１４ｂ、鎖１２に環状金具１３を設けなければならないことからコストアップの問題も発生する。
更にまた、ペンダントトップ等１１は交換可能であるが、ブローチ本体は取付けピン２と一体になっているため、ペンダントトップ等１１の交換だけによるデザイン変更に制限される。従って、様々な装飾デザインのバリエーションを増やすには限度を有する。【０００８】  本考案は上記課題を解決するために成されたもので、その目的とするところは、簡単な係止構造で、且つ、コスト的にも安くできる係止構造を見出すことにある。また、同時に装飾デザインのバリエーションを豊富にすることを目的とする。
【課題を解決するための手段】
【０００９】  そして、上記目的を達成するための手段として、本考案の請求項１に記載の装飾部材の係止構造の特徴は、少なくとも第１の装飾部材と第２の装飾部材と第３の装飾部材を有して、前記第１の装飾部材と前記第２の装飾部材と前記第３の装飾部材とを連結して係止する係止構造において、前記第１の装飾部材は環状の引掛け部を有し、前記第２の装飾部材は湾曲して外部に突出したフック部と該フック部の先端近傍に前記第３の装飾部材を係合させる係合手段を有しており、前記第２の装飾部材の前記フック部に前記第１の装飾部材の前記環状の引掛け部を挿入し、その後に前記第２の装飾部材の前記係合手段に前記第３の装飾部材を係合させることによって、前記第１の装飾部材の前記環状の引掛け部が前記第２の装飾部材に係合した前記第３の装飾部材に当接して前記第２の装飾部材の前記フック部から外れないで、前記第１の装飾部材と前記第２の装飾部材と前記第３の装飾部材とが連結して係止されることを特徴とするものである。【００１０】  この構造の下では、第２の装飾部材のフック部に取付けた第１の装飾部材は、その環状の引掛け部が第３の装飾部材に当接してフック部から外れない。つまり、第２の装飾部材に係合させた第３の装飾部材が第２の装飾部材に取付けた第１の装飾部材を外れないようにしている。新たな係止手段を設けることなく第１の装飾部材と第２の装飾部材と第３の装飾部材とが連結して係止する。係止構造としては非常にシンプルな構造である。【００１１】  また、本考案の請求項２に記載の装飾部材の係止構造の特徴は、前記第２の装飾部材は前記フック部を有する部位に切欠部を有し、前記第１の装飾部材の前記環状の引掛け部を前記切欠部を介して前記フック部に挿入することを特徴とするものである。【００１２】  この構造の下では、切欠部の所でもってフック部の先端から第１の装飾部材の引掛け部を挿入してフック部に引掛ける。切欠部があることによってフック部への引掛けが容易にできるようになる。【００１３】  また、本考案の請求項３に記載の装飾部材の係止構造の特徴は、前記第２の装飾部材に有する係合手段は前記第３の装飾部材が適度な摩擦抵抗をもって挿嵌する穴からなることを特徴とするものである。【００１４】  また、本考案の請求項４に記載の装飾部材の係止構造の特徴は、前記第２の装飾部材に有する係合手段は前記第３の装飾部材の両端を挟持する対向して設けた一対の第２のフック部からなることを特徴とするものである。【００１５】  また、本考案の請求項５に記載の装飾部材の係止構造の特徴は、前記第２の装飾部材に有する係合手段は前記第３の装飾部材を押圧する板バネからなることを特徴とするものである。【００１６】  また、本考案の請求項６に記載の装飾部材の係止構造の特徴は、前記第２の装飾部材に有する係合手段は前記第３の装飾部材を挟持する対向して設けた一対の板バネからなることを特徴とするものである。【００１７】  第２の装飾部材と第３の装飾部材との係合手段として、適度な摩擦抵抗をもって挿嵌する穴、対向して設けた一対の第２のフック部、押圧する板バネ、一対の板バネなどはシンプルな形状であるので、特別に難しい加工を必要としない。また、中には第２の装飾部材と一体的に成形できる形状もある。このように、第２の装飾部材は比較的簡単な形状の下で第３の装飾部材を連結して係止できるようになり、コスト的にも安くできる。【００１８】  また、本考案の請求項７に記載の装飾部材の係止構造の特徴は、前記第３の装飾部材は身体又は着衣に装着されることを特徴とするものである。【００１９】  第３の装飾部材が直接身体又は着衣に装着することで、第１の装飾部材と第２の装飾部材と第３の装飾部材とを連結して係止した装飾品が第３の装飾部材を介して直接身体や着衣に装着できる。新たに身体又は着衣に装着する部品を設ける必要もなくなる。【００２０】  また、本考案の請求項８に記載の装飾部材の係止構造の特徴は、前記第３の装飾部材は複数条に巻回した線材からなることを特徴とするものである。【００２１】  第３の装飾部材を線材を巻回したもので形成することで、装着する身体の部位の大きさ（太さ）に応じて自由に調整することができる。例えば、指の細さや太さに応じて指輪の環の大きさを調整することができるようになり、装着する身体の部位の大きさに左右されずに使用することができる。【００２２】  また、本考案の請求項９に記載の装飾品の特徴は、指輪、ブレスレッド、ネックレス、ブローチなどの装飾品において、前記装飾品は前記請求項１乃至８いずれかに記載の装飾部材の係止構造を有することを特徴とするものである。【００２３】  上記で述べた装飾部材の係止構造を有する装飾品は、複数の装飾部材から構成されることから多様な装飾性や斬新的な装飾デザインなどを生むことができる。また、装飾デザインのバリエーションも豊富にすることができる。指輪、ブレスレット、ネックレス、ブローチなどの装飾品には効果的に適用できる。
【考案の効果】
【００２４】  以上詳細に個々の作用・効果を説明したが、纏めると、コスト面では、簡単な構造であるのでコストが小さく抑えられる。また、装飾性の面では多様な装飾を得ることができ、装飾デザインのバリエーションも増える。
【考案を実施するための最良の形態】
【００２５】  以下、本考案を実施するための最良の形態（以降、実施形態と云う）について図を用いながら説明する。【００２６】  （第１実施形態）
最初に、本考案の第１実施形態に係る装飾部材の係止構造、並びに、その係止構造を用いた装飾品について図１〜図２を用いて説明する。なお、図１は本考案の第１実施形態に係る装飾品の斜視図、図２は図１における第２の装飾部材の平面図と断面図で、図２の（ａ）は表面側から見た平面図、図２の（ｂ）は図２の（ａ）におけるＡ−Ａ断面図を示してしいる。【００２７】  第１実施形態の装飾品は指輪である。指輪なる装飾品２０は、図１に示すように、第１の装飾部材２１と第２の装飾部材２２と第３の装飾部材２３とから構成しており、第１の装飾部材２１、第２の装飾部材２２、第３の装飾部材２３は連結している。そして、第１の装飾部材２１や第２の装飾部材２２、第３の装飾部材２３は個々にそれぞれの装飾的機能を果たしており、連結した状態で一つの装飾デザインをなすと共に装飾品として全体的な装飾機能を果たしている。【００２８】  以下、それぞれの装飾部材について詳細に説明する。第１の装飾部材２１は宝飾部２１ａ、宝飾部２１を固定する台座部２１ｂ、これらを取付けるための取付部２１ｃ、そして、一体となった宝飾部２１ａ、台座部２１ｂ、取付部２１ｃを第２の装飾部材２２のフック部２２ｂに引っ掛けるための環状になった引掛け部２１ｄとから構成している。
第１実施形態においては、宝飾部２１ａは、図１に示すように、真珠でもって構成しているが、これは真珠に限るものではなく、宝石や貴石、あるいは石、セラミック、金属、貝類など、装飾仕様に応じて適宜なものを選択するものである。【００２９】  また、台座部２１ｂは用いる宝飾部２１ａの仕様に応じて設けるもので、宝飾部２１ａが容易に加工できるようなものであれば（例えば、金属など）設けなくても何ら構わない。
また、第１実施形態においては、引掛け部２１ｄを、図１に示すように、取付部２１ｃに係合させる構成を取ったが、取付部２１ｃを引掛け部２１ｄに代えて用いることも可能である。これは、第１の装飾部材２１の全体的な長さなどを考慮して決めれば良いもので、例えば、取付部２１ｃと引掛け部２１ｄとの間に鎖を設けて第１の装飾部材２１の全長を長くして用いても構わない。【００３０】  また、第１実施形態においては、第１の装飾部材２１は真珠なる宝飾部２１ａを有するものを１個（１組）用いているが、個数（組数）については複数個設けても構わない。宝飾部２１ａが同じ材料のもの、異なる材料のもの、あるいは、第１の装飾部材２１の全長の長さが同じもの、長さが異なるもの、など装飾性を加味して適宜に組み合わせて用いても良い。【００３１】  次に、第２の装飾部材２２は基体部２２ａ、湾曲して外部に突出したフック部２２ｂ、切欠部２２ｃ、穴２２ｄとから構成している。フック部２２ｂは切欠部２２ｃの所に設けており、逆Ｕ字型（Ｕ字を逆さまにした形状）に湾曲した部分が外部（外側）に突出する形状に形成している。そして、フック部２２ｂの先端２２ｂ２は切欠部２２ｃの中に位置して、穴２２ｄの中まで届かぬ位置にくるようにしている。このフック部２２ｂは第１の装飾部材２１を引掛けるために設けている。また、このフック部２２ｂはロー付けや半田付けなどの方法で基体部２２ａと一体的に接合している。なお、図１においては、逆Ｕ字形状のフック部２２ｂとしたが、デザインなどによっては他の形状、例えば、階段形状や逆Ｖ字形状などであっても構わない。【００３２】  切欠部２２ｃは第１の装飾部材２１の引掛け部２１ｄをフック部２２ｂの先端２２ｂ２から挿入できるようにするために設けている。この切欠部２２ｃは、第１実施形態では図２に示すように、矩形の穴形状に形成しているが、基体部２２ａの端面まで届く切欠け形状であっても構わない。切欠部２２ｃはフック部２２ｂが配設できて、第１の装飾部材２１の引掛け部２１ｄが容易にフック部２２ｂに挿入できるスペースの切欠面積があれば良いものである。【００３３】  穴２２ｄは第３の装飾部材２３を第２の装飾部材２２に係止するために設けている。つまり、穴２２ｄは第２の装飾部材２２に第３の装飾部材２３を係止するための係合手段としての働きをなしている。
第１実施形態では、第３の装飾部材２３に複数条に巻回した線材を用いているため、巻回して重なり合った部分が挿嵌できるように穴２２ｄの形状を長四角形状にしている。
そして、この穴２２ｄと巻回した線材からなる第３の装飾部材２３との係合状態は適度に摩擦抵抗をもった挿嵌状態にある。つまり、適度な摩擦抵抗を有するために、第３の装飾部材２３を挿入するのに僅かに力を掛けて挿入するようにする。そして、力を解除したときには、多少の振動があっても第３の装飾部材２３がこの穴２２ｄから容易に抜けない。
適度な摩擦抵抗が得られるクリアランスとしては、第３の装飾部材２３の材質にもよって異なるが、線材の直径が当接する部位で概ね３０μｍ前後の範囲に設定するのが望ましい。【００３４】  また、この穴２２ｄはフック部２２ｂの先端２２ｂ２の近傍位置に設けるのが望ましく、第１実施形態では、フック部２２ｂの先端２２ｂ２の近傍位置を含めた全領域に長穴形状で設けている。穴２２ｄに第３の装飾部材２３が係合したとき、第３の装飾部材２３によってフック部２２ｂの先端２２ｂ２との間隙が小さくなり、第１の装飾部材２１の引掛け部２１ｄがフック部２２ｂから抜けなくなる。つまり、引掛け部２１ｄが第３の装飾部材２３に当接して間隙を通らないようになっている。【００３５】  これによって、第１の装飾部材２１が第２の装飾部材２２から外れることなく係止され、また、第３の装飾部材２３が容易に動くことなく第２の装飾部材２２に係止される。【００３６】  第１実施形態においては、穴２２ｄは第３の装飾部材２３である巻回した線材の巻回曲面に沿った形状で形成している。巻回曲面に沿うことで、穴２２ｄに線材を挿入するときや穴２２ｄから線材を抜くときにスムーズに出し入れが行えるようになる。そして、線材にキズの発生や変形を起こさずに済む。【００３７】  第２の装飾部材２２の基体部２２ａは金属材料で形成する。第１実施形態においては、銀合金材によるダイカスト成形で形成しており、切欠部２２ｃや穴２２ｄはダイカスト成形時に金型からの転写によって形成している。金属材料を用いる場合は使用材料として真鍮合金、金合金、銀合金、プラチナ合金、鉄合金（例えば、ステンレス）などが挙げられる。
また、基体部２２ａは表面処理を施して綺麗さや高級さを出現させて外観装飾を高めている。また、図２には表示していないが、上面２２ａ１側に宝飾なども設けることは可能で、宝石や貴石などを埋め込むと一層の綺麗さや高級感などが現れる。また、装飾バリエーションを増やすことができる。【００３８】  次に、第３の装飾部材２３は線材をスパイラル状に複数条に巻回し、丁度指輪の大きさに形成している。第１実施形態においては、３．５巻き、即ち、３巻き部分と４巻き部分があり、４巻きの部分が第２の装飾部材２２の穴２２ｄと係合するようになっている。また、線材は１８金合金を使用しており、合金化することにより適度な弾性を持たせている。【００３９】  第３の装飾部材２３は手の指に直接はめ込む指環として使用する。第３の装飾部材２３に線材を巻回して使用することにより、巻回した内径を少し小さ目に形成すると指の太さに応じて弾力的に変形して内径が大きくなる。つまり、指の太さに応じて弾力的に変形し、指の太さに左右されずに使用できるメリットがある。【００４０】  第１実施形態においては、３．５巻きに巻回したものを使用したが、２巻き以上あれば何の支障もなく使用することができるので、デザインなどに応じて適宜な巻回数を設定すれば良い。【００４１】  また、線材は弾性力のある金属線を用いれば良く、ステンレス材の他に真鍮などの銅合金材料や金合金、銀合金、プラチナ合金などを選択することができる。なお、銅合金材料を用いる場合はＡｕ、Ｐｔ、Ｒｈなどのメッキを施して耐蝕性を高めるのが好ましい。線材の表面がＡｕ、Ｐｔ、Ｒｈなどの金属色を呈していると貴金属感による高級感が現れる。勿論、ステンレス材を用いた場合でも同様な表面処理ができるので貴金属感を出現させることができる。【００４２】  また、線材は非常に細い金属線を複数束ねてロープ状に編み上げた線材でも良い。また、線材はプラスチック線を用いることもできる。プラスチック線としてはナイロン材、ＰＥＴ（ポリエチレンテレフタレート）材、テフロン材などのものが好適なものとして挙げることができる、プラスチック線は様々なカラー着色を施すことができるので所望の色合いの線材を得ることができるメリットがある。【００４３】  巻回した線材を第２の装飾部材２２の穴２２ｄに挿入するには、巻回した線材の片端を穴２２ｄに入れ、巻回した線材を手で少し力を入れながらぐるぐる回していくと穴２２ｄの中で線材が重なり合った状態が得られる。そして、所要の位置で線材の回しを停止すると図１に示す状態が得られる。穴２２ｄから巻回した線材を外す場合はその逆の動作を行えば良い。【００４４】  なお、第３の装飾部材である巻回した線材はそれ自体単品で指輪として使用することもできる。表面処理などで貴金属感を出現させると高級感がもたらされる。【００４５】  以上の構成をなすことにより、第１の装飾部材２１と第２の装飾部材２２と第３の装飾部材２３の連結した係止構造が得られる。そして、それぞれの装飾部材は外れることなく指輪として指に装着できる。このように構成した装飾品２０なる指輪は、第１の装飾部材２１の装飾と、第２の装飾部材２２の装飾と、第３の装飾部材２３の装飾の３つの装飾が組合わさった装��仕様が得られ、豊かな装飾感が得られる。また同時に、装飾性を高めた装飾デザインが得られる。また、第１の装飾部材２１の仕様、第２の装飾部材２２の仕様、第３の装飾部材２３の仕様などを変えることによって数多くの装飾バリエーションが得られる。
なお、第１実施形態においては、第１の装飾部材を宝飾部２１ａ、台座部２１ｂ、取付部２１ｃなどの部材を組合せて構成したが、特に、これらの組合せに限るものではなく、装飾的な機能を果たす装飾部材であれば良いものである。【００４６】  また、第１の装飾部材２１と第２の装飾部材２２と第３の装飾部材２３を連結して係止する構造において、連結して係止するための新たな部品は用いていないのでコスト的にも安くできる。【００４７】  なお、第１実施形態では指輪を取り上げて説明したが、同じ係止構造でブレスレットの装飾品を形成することもできる。ブレスレッドを形成するには、第３の装飾部材である巻回した線材の巻回の内径を手首の太さに合わせて大きくすることでブレスレッドが得られる。【００４８】  次に、第１実施形態の係止構造を応用した例として、図３に示す応用例の構造を説明する。図３において、この応用例の装飾品３０は指輪で、前述の第１実施形態の構成と異なる所は第２の装飾部材３２のみで、第１の装飾部材２１と第３の装飾部材２３は同じ仕様のものを用いている。【００４９】  第２の装飾部材３２で前述の第１実施形態のものと異なる所は、基体部３２ａの下面側中央、横方向に摺割部３２ｅが設けられて、穴が左右の２箇所（３２ｄ１と３２ｄ２）に分かれた構成をなしている所である。この２箇所の穴３２ｄ１、３２ｄ２に巻回した線材を挿嵌することで第２の装飾部材３２と巻回した線材の第３の装飾部材２３を適度な摩擦抵抗をもって係止する。
なお、フック部３２ｂと切欠部３２ｃは第１実施形態のものと同じ仕様になっている。この応用例の構造においては、摺割部３２ｅの部位では第３の装飾部材２３が露出して見える。【００５０】  このような構成をなしても、前述の第１実施形態で説明した働きと同じ働きをなして第１の装飾部材２１と第２の装飾部材２２と第３の装飾部材２３を連結して係止することができる。【００５１】  （第２実施形態）
次に、本考案の第２実施形態に係る装飾品について図４を用いて説明する。図４は本考案の第２実施形態に係る装飾品の要部の斜視図で、図４の（ａ）は表面側から見た斜視図で、図４の（ｂ）は裏面側から見た斜視図である。なお、図４の（ｂ）においては、構成部材である第１の装飾部材は省略してある。【００５２】  第２実施形態の装飾品４０はブレスレッドである。手首に巻回されて使用される。ブレスレッドなる装飾品４０は、図４の（ａ）に示すように、第１の装飾部材４１と第２の装飾部材４２と第３の装飾部材４３とを連結して構成している。第１の装飾部材４１は第２の装飾部材４２のフック部４２ｂに引掛けられて係止しており、第３の装飾部材４３は第２の装飾部材４２の凹部４２ｅに挿嵌して係止している。【００５３】  第１の装飾部材４１は真珠からなる宝飾部４１ａ、宝飾部４１ａを固定する台座４１ｂ、取付部４１ｃ、引掛け部４１ｄとから構成している。これらの構成部材は前述の第１実施形態での第１の装飾部材の構成部材と同じ仕様をなしているのでここでの詳細説明は省略する。【００５４】  次に、第２の装飾部材４２は基体部４２ａと、基体部４２ａの表面側に設けた湾曲して外部に突出したフック部４２ｂを、フック部４２ｂのある領域に設けた切欠部４２ｃと、基体部４２ａの側面と裏面側に対向して設けた一対のＬ字形の第２のフック部４２ｆと、第２のフック部４２ｆによって形成され第３の装飾部材４３を挿嵌する凹部４２ｅとから構成している。【００５５】  ここで、フック部４２ｂは切欠部４２ｃの所に設けており、逆Ｕ字型（Ｕ字を逆さまにした形状）に湾曲した部分が外部（外側）に突出する形状に形成している。そして、フック部４２ｂの先端４２ｂ２は切欠部４２ｃの中に位置して、凹部４２ｅの中まで届かぬ位置にくるようにしている。なお、フック部４２ｂ、切欠部４２ｃは前述の第１実施形態で説明した働きと同じ働きをなしているのでここでの詳細説明は省略する。【００５６】  第２実施形態での第２の装飾部材４２は対向する一対の第２のフック部４２ｆを持っている所に特徴がある。対向する第２のフック部４２ｆによって形成された凹部４２ｅに第３の装飾部材４３が挿嵌する。
第２実施形態では、第３の装飾部材４３は細い金属線で密に編み上げたバンドからなっている。従って、第３の装飾部材４３は比較的剛性も有り、弾性力も有し、大きく湾曲する変形は起こすが、小さな変形は殆ど起こさない。また、比較的大きな外圧に対しても厚みや幅の寸法変化は殆ど起きない。【００５７】  このように比較的剛性のある金属のバンドを凹部４２ｅに挿入してもバンドの変形は起きず、適度な摩擦抵抗をもった状態でバンドの幅の両端（両側面）を一対の第２のフック部４２ｆで挟持することでバンドは基体部４２ａに係合する。つまり、第２の装飾部材４２に金属のバンドなる第３の装飾部材４３が係合する。ここでは、対向した一対の第２のフック部４２ｆは第３の装飾部材４３を係合させる係合手段としての役割を果たしている。【００５８】  第３の装飾部材４３であるバンドが第２の装飾部材４２に係合したとき、バンドとフック部４２ｂの先端４２ｂ２との間隙は小さくなり、フック部４２ｂに引掛けられた第１の装飾部材４１の引掛け部４１ｄはフック部４２ｂから取外しができなくなる。
これによって、第１の装飾部材４１は第２の装飾部材４２に取外しできない状態で係止される。【００５９】  第３の装飾部材４３である金属のバンドは、上述したように細い金属線を密に編み上げて形成したものからなる。手首の太さほどの大きさであれば湾曲させて環状の輪にすることができる。
なお、第２実施形態におけるバンドは、図示していないが、バンドの長手方向の一方端側は、バンドの厚み、幅寸法より大きくならない寸法の下で金属被膜が被覆されており、他方端側には環状にした状態で一方端側を固定する固定金具が設けられている。つまり、時計に用いられる金属バンドと同じような固定構造を取っている。
金属被膜が被覆した一方端を第２の装飾部材４２の凹部４２ｅに差し込むことによって図４に示す係合構造が得られる。【００６０】  第２実施形態においては、第２の装飾部材４２に対向する一対の第２のフック部４２ｆを設け、その第２のフック部４２ｆでバンドなる第３の装飾部材４３を係止する構造をなしている。一対のフック部で第３の装飾部材を挟持する構造は第３の装飾部材に比較的剛性があって変形しない部材を用いる場合に適用するのが望ましい。【００６１】  （第３実施形態）
次に、本考案の第３実施形態に係る装飾品の装飾部材の係止構造について図５〜図８を用いて説明する。第３実施形態に係る装飾品はネックレスである。図５〜図８はネックレスの要部のみを示したもので、図５は本考案のネックレスる装飾品の要部正面図、図６は要部裏面図、図７は要部側面図、図８は図７におけるＢ部の断面拡大図を示している。【００６２】  第３実施形態のネックレスなる装飾品５０は、図５〜図７に示すように、第２の装飾部材５２と、第２の装飾部材５２に係止された第１の装飾部材５１と、第２の装飾部材５２に係止された第３の装飾部材５３とからなっている。第３の装飾部材５３は首に吊り下げられて装着される。【００６３】  ここで、第１の装飾部材５１は宝飾部５１ａと、宝飾部５１ａを固定する台座部５１ｃと、宝飾部５１ａを設けた台座部５１ｃを取付けるための取付部５１ｃと、少し長目に吊り下げるための鎖部５１ｅと、これらを第２の装飾部材５２のフック部５２ｂに引っ掛けるための引掛け部５１ｄとから構成している。そして、これらの個々の構成部材はそれぞれ装飾的な働きもなしている。
また、宝飾部５１ａは台座部５１ｃに設けた爪によって固定され、第３実施形態では、宝飾部５１ａは宝石や貴石などからなっている。【００６４】  第２の装飾部材５２は基体部５２ａと、基体部５２ａに設けた切欠部５２ｃと、切欠部５２ｃの部位に設けた外部に湾曲して突出したフック部５２ｂと、基体部５２ａの正面側２箇所に設けた宝飾部５２ｅと、基体部５２ａの裏面側の２箇所に設けた板バネ５２ｄ（図６参照）とから構成している。【００６５】  ここで、フック部５２ｂは、図７に示すように、逆Ｕ字形状をなしており、その先端５２ｂ２は切欠部５２ｃの中に位置して設けられている。また、このフック部５２ｂはロー付け、半田付けなどの方法で基体部５２ａと接合されている。
また、宝飾部５２ｅは、第３実施形態においては、貴石からなっており、基体部５２ａに設けた凹部に接着剤を介して埋込み固定している。【００６６】  また、裏面側に設けた２箇所の板バネ５２ｄは、第３の装飾部材５３の係合ピン５３ａを係合させて係止するための係合手段として設けているもので、板バネ５２ｄは切欠部５２ｃから外れた位置に、切欠部５２ｃを挟んで２箇所に設けている。
この２箇所の板バネ５２ｄは、図８に示すように、波形の形状をなした弾性力のある金属板からなっている。また、この板バネ５２ｄはロー付けや半田付けなどの方法で基体部５２ａに接合されている。【００６７】  この板バネ５２ｄは凸状に湾曲した係合部５２ｄ１と、凹状に湾曲した凹部５２ｄ２と、凸状に湾曲して立ち上がった先端部５２ｄ３とからなる波形の形状をなしている。
第３の装飾部材５３の係合ピン５３ａを先端部５２ｄ３から力強く押し込むと係合部５２ｄ１に差し込まれる。係合部５２ｄ１は係合ピン５３ａの外径と同じ曲率をもって形成しているため、係合ピン５３ａと隙間無く係合し、板バネ５２ｄの弾性力で強く押し付けられ、更に、凹部５２ｄ２があるために外圧を強く与えない限りは板バネ５２ｄから外れずに係合ピン５３ａが強固に板バネ５２ｄに係止する。
係合ピン５３ａが板バネ５２ｄに係止した状態にあっては、係合ピン５３ａの中心とフック部５２ｂの先端５２ｂ２の中心がほぼ一致する位置に配される。つまり、先端５２ｂ２の先に僅かな間隙ｗ（図８参照）をもって係合ピン５３ａが位置するようになっている。
なお、この板バネ５２ｄは胸肌に触る部分でもあるので、表面は磨き上げられ、側面や端面などの角部はＲ付けされていて、肌が傷付くことのないように仕上げられている。【００６８】  基体部５２ａはステンレス材や金、銀、プラチナ、銅などの合金材などの金属材料から形成され、板材をプレス加工やダイカスト法などによって形成することができる。また、表面はバリのない滑らかな面に仕上げられ、銅合金を使用した場合はメッキなどの表面処理が施されて耐蝕性を高めると共に装飾性を高めた仕様に形成する。【００６９】  第３の装飾部材５３は係合ピン部５３ａと係合ピン５３ａの両端に設けた２本のネックチェーン５３ｂとから構成している、係合ピン５３ａは上述したように第２の装飾部材５２の板バネ５２ｄに係合させるために設けており、２本のネックチェーン５３ｂは首に掛けるものである。図示はしていないが、２本のネックチェーン５３ｂの両端には２本のネックチェーン５３ｂを繋げるための止め金具が設けられている。
なお、第３実施形態においては、ボールタイプのネックチェーンを用いたが、特に限定するものではなく、他のタイプのネックチェーンを用いても良い。【００７０】  上記の構成をなす装飾品５０において、最初に、第２の装飾部材５２の正面側で、第１の装飾部材５１の引掛け部５１ｄを第２の装飾部材５２の切欠部５２ｃに差し込んでフック部５２ｂの先端５２ｂ２を通してフック部５２ｂに引掛ける。次に、第２の装飾部材５２の裏面側で、第３の装飾部材５３の係合ピン５３ａを第２の装飾部材５２の板バネ５２ｄに強く奥まで差し込んで係合ピン５３ａと板バネ５２ｄを係止する。
係合ピン５３ａを板バネ５２ｄの奥まで差し込んだ状態においては、図８に示すように、フック部５２ｂの先端５２ｂ２と係合ピン５３ａとの間隙ｗが引掛け部５１ｄの線径太さより小さいために引掛け部５１ｄがフック部５２ｂから抜けない。つまり、環状の引掛け部５１ｄがフック部５２ｂの先端５２ｂ２と係合ピン５３ａに当接して外れないようになる。【００７１】  これによって、第１の装飾部材５１の引掛け部５１ｄが第２の装飾部材５２のフック部５２ｂに係止し、第３の装飾部材５３の係合ピン５３ａが第２の装飾部材５２の板バネ５２ｄに係止する。そして、第１の装飾部材５１と第２の装飾部材５２と第３の装飾部材５３とが連結して係止し、ネックレスなる装飾品５０が形成される。【００７２】  このようにして形成した装飾品５０は第１の装飾部材５１の装飾、第２の装飾部材５２の装飾、第３の装飾部材５３の装飾が組合わさって装飾性が豊かになる。
また、第３の装飾部材５３の係合ピン５３ａと板バネ５２ｄとの係合状態は、吊り下げ方向の下方側にある板バネ５２ｄの先端部５２ｄ３から差し込んで上方にある係合部５２ｄ１まで押し込んで係合させている。これにより、装着した状態において、第１の装飾部材５１、第２の装飾部材５２の自重や振動などによって下方に力が加わっても、係合ピン５３ａには上方に引っ張られる力が働くので係止状態が解かれることは生じない。【００７３】  また、第１の装飾部材５１、第２の装飾部材５２、第３の装飾部材５３の取外しが容易である。また、第３の装飾部材５３はそれ単独でもネックレスとして使用可能である。【００７４】  第３の実施形態においては、第１の装飾部材５１の宝飾部５１ａに宝石や貴石を用いたが、宝石や貴石に限らず他の装飾部材を用いて宝飾部５１ａを形成しても良い。テザインの仕様に応じて第１の装飾部材５１の構成部材や部材仕様を設定するのが好ましい。【００７５】  また、第２の装飾部材５２の基体部５２ａに設けた宝飾部５２ｅは貴石を用いているが、これも貴石に限らず他の装飾部材を用いても構わない。また、特段に宝飾部５２ｅを設ける必要もなく、基体部５２ａ全体を装飾したものでも構わない。これらはデザインの仕様に応じて装飾仕様を設定するのが良い。【００７６】  このように、デザイン仕様に応じて様々な装飾の第１の装飾部材５１、第２の装飾部材５２、第３の装飾部材５３を揃えておくと、自由に組み替えが可能になり、装飾バリエーションを数多く増やすことができる。【００７７】  また、第３実施形態においては、第１の装飾部材５１は１個（１組）用いたが、複数個用いても構わない。【００７８】  （第４実施形態）
次に、本考案の第４実施形態に係る装飾品とその係止構造について図９〜図１３を用いて説明する。第４実施形態に係る装飾品はブローチを示しており、図９は本考案の第４実施形態に係る装飾品の正面図、図１０は図９における装飾品の背面図、図１１は図１０における第２の装飾部材の背面斜視図、図１２は図１０における第３の装飾部材の斜視図、図１３は図１０におけるＣ−Ｃ断面拡大図を示している。【００７９】  第４実施形態の装飾品６０はブローチで、第１の装飾部材６１と第２の装飾部材６２と第３の装飾部材６３とが連結して係止された構成をなしている。第３の装飾部材６３と第２の装飾部材６２は自在に取付け、取外しが可能で、第２の装飾部材６２から第３の装飾部材６３を取外した後は、第１の装飾部材６１と第２の装飾部材６２との取付け、取外しは自在に可能になっている。ここで、第３の装飾部材６３は着衣に装着して用いられる。【００８０】  第４実施形態においては、第１の装飾部材６１は、図９、図１０に示すように、宝飾部６１ａ、台座部６１ｂ、取付部６１ｃ、鎖部６１ｅ、引掛け部６１ｄとから構成している。ここでの第１の装飾部材６１は前述の第３実施形態での第１の装飾部材と同じ仕様のものを用いている。【００８１】  第２の装飾部材６２は、図９、図１１に示すように、基体部６２ａと、基体部６２ａの表側に設けた装飾模様部６２ｅ（図９参照）と、基体部６２ａの裏面側に設けたフック部６２ｂと、フック部６２ｂの両側にあってフック部６２ｂより僅かに上方に設けた２組の対向する一対の板バネ６２ｄ（図１１参照）とから構成している。【００８２】  ２組の対向する一対の板バネ６２ｄは、後述する第３の装飾部材６３の係合軸６３ｃを係合させて係止する目的で設けているもので、第３の装飾部材６３を係合させる係合手段をなしている。
一対の板バネ６２ｄは対向して向き合っており、係合凹部６２ｄ１、凸部６２ｄ２、先端部６２ｄ３をそれぞれ向き合って有している。この板バネ６２ｄは弾性力を有しており、対向する係合凹部６２ｄ１でもって第３の装飾部材６３の係合軸６３ｃを挟持する。また、対向する凸部６２ｄ２でもって第３の装飾部材６３の係合軸６３ｃが抜けないようにし、対向する先端部６２ｄ３の形状でもって第３の装飾部材６３の係合軸６３ｃを差込み易いようにしている。
ここで、係合凹部６２ｄ１は第３の装飾部材６３の係合軸６３ｃと係合する部分であるので、凹部形状は係合軸６３ｃの外径と略同じ曲率を持ったＲ形状をなしている。
この２組なる一対の板バネ６２ｄはロー付けや半田付けなどの方法で基体部６２ａに接合される。【００８３】  フック部６２ｂは第１の装飾部材６１を吊り下げるために設けている。湾曲した部分が外部に突出していて、２組設けている一対の板バネ６２ｄのほぼ中間の位置に設けられ、フック部６２ｂの先端６２ｂ２は板バネ６２ｄの係合凹部６２ｄ１に近い位置に配される。
このフック部６２ｂはロー付けや半田付けなどの方法で基体部６２ａに接合される。【００８４】  装飾模様部６２ｅは、従来技術で用いられた花柄模様を設けたが、これはデザインの仕様に応じた模様を設ければ良く、宝飾などのデザインであれば宝飾を設けた装飾としても良い。【００８５】  第３の装飾部材６３は、第４実施形態においては、着衣に装着されるもので外からは第２の装飾部材６２に隠れて見えないものであるが、装飾的価値を高めるために装飾的機能を持っている。この第３の装飾部材６３は、図１２に示すように、丸い係合軸６３ｃの両端に支柱６３ａ、６３ｂを有し、支柱６３ａ側には取付けピン６３ｄ、支柱６３ｂ側にはフック部６３ｅが設けられている。
取付けピン針６３ｄを着衣に差し込んでフック部６３ｅで止めれば第３の装飾部材６３は着衣に係止する。【００８６】  丸い係合軸６３ｃは第２の装飾部材６２の２組の一対の板バネ６２ｄに取付けられる。一対の板バネ６２ｄの先端部６２ｄ３側から差し込んで係合凹部６２ｄ１に納めることで板バネ６２ｄの弾性力で固く挟持されて係止する。
そして、板バネ６２ｄに凸部６２ｄ２が対向してあるために第２の装飾部材６２の自重や振動などが生じても係合凹部６２ｄ１から容易に外れない。【００８７】  ここで、図１２において、支柱６３ａ及び支柱６３ｂは略四角柱の形状をなしているが、形状的にはこの形状に限らない。支柱６３ａと支柱６３ｂは係合軸６３ｃを固定し、また、針６３ｄとフック部６３ｅを固定でき、しかも、剛性を持った形状であればどのような形状でも構わない、第４実施形態においては、表面処理にて光沢表面に仕上げて装飾メッキを施している。
また、係合軸６３ｃは熱処理を施して一定の硬度に仕上げ、表面処理にて光沢面を持たせて硬質メッキを施している。そして、耐蝕性や耐摩耗性の向上を図っている。【００８８】  次に、第１の装飾部材６１と第２の装飾部材６２と第３の装飾部材６３を連結して係止する方法について説明する。最初に、第１の装飾部材６１の引掛け部６１ｄを第２の装飾部材６２のフック部６２ｂに挿入する。次に、第２の装飾部材６２の２組の一対の板バネ６２ｄに第３の装飾部材６３の係合軸６３ｃを差し込んで２組の一対の板バネ６２ｄと係合軸６３ｃを係合させる。【００８９】  図１３は係合状態を示したものである。図１３において、一対の板バネ６２ｄに係合軸６３ｃが係合した状態にあっては、係合軸６３ｃの高さとフック部６２ｂの先端６２ｂ２の高さはほぼ同じ高さになり、係合軸６３ｃと先端６２ｂ２との間隙ｗは小さくなる。この間隙ｗは第１の装飾部材６１の環状の引掛け部６１ｄの太さより小さくなって、引掛け部６１ｄが係合軸６３ｃとフック部６２ｂの先端６２ｂ２に当接して間隙ｗを通らない。
これによって、第１の装飾部材６１の引掛け部６１ｄは第２の装飾部材６２のフック部６２ｂに係止される。【００９０】  このようにして、第２の装飾部材６２に第１の装飾部材６１が係止し、第２の装飾部材６２に第３の装飾部材６３が係止して、第１の装飾部材６１と第２の装飾部材６２と第３の装飾部材６３とが連結して係止された装飾品６０が得られる。【００９１】  この第１の装飾部材６１と第２の装飾部材６２と第３の装飾部材６３が組合わさったブローチなる装飾品６０は、第１の装飾部材６１の装飾、第２の装飾部材６２の装飾、第３の装飾部材６３の装飾とが組合わさることによって装飾性が高まり、装飾品としての装飾価値は高められる。また、装飾バリエーションも増える。【００９２】  また、第１の装飾部材６１、第２の装飾部材６２、第３の装飾部材６３は任意に交換可能である。所望の装飾仕様をもったこれら３つの装飾部材を組み合わせて好みの装飾品に仕立てることもできる。
また、前述した従来技術においては、ペンダントトップの交換にだけによって異なる装飾デザインを生み出していたが、第４実施形態での装飾品においては、着衣に装着して第３の装飾部材６３が見えない状態であっても、第１の装飾部材６１と第２の装飾部材６２との交換組合せで、従来技術より飛躍的に数多くの異なる装飾デザインを生み出すことができる。【００９３】  また、第４実施形態での係止構造を前述の第３実施形態で説明したネックレスに適用することが可能である。ネックレスに上記の係止構造を用いれば、切欠部を設ける必要もなくなる。
【図面の簡単な説明】
【００９４】
【図１】  本考案の第１実施形態に係る装飾品の斜視図である。
【図２】  図１における第２の装飾部材の平面図と断面図で、図２の（ａ）は表面側から見た平面図、図２の（ｂ）は図２の（ａ）におけるＡ−Ａ断面図である。
【図３】  第１実施形態の係止構造を応用した応用例の構造を説明する斜視図である。
【図４】  本考案の第２実施形態に係る装飾品の要部の斜視図で、図４の（ａ）は表面側から見た斜視図、図４の（ｂ）は裏面側から見た斜視図である。
【図５】  本考案の第３実施形態に係る装飾品の要部正面図である。
【図６】  図５における装飾品の要部裏面図である。
【図７】  図５における装飾品の要部側面図である。
【図８】  図７におけるＢ部の断面拡大図である。
【図９】  本考案の第４実施形態に係る装飾品の正面図である。
【図１０】  図９における装飾品の背面図である。
【図１１】  図１０における第２の装飾部材の背面斜視図である。
【図１２】  図１０における第３の装飾部材の斜視図である。
【図１３】  図１０におけるＣ−Ｃ断面拡大図である。
【図１４】  特許文献１に記載された装身具の一例としてのブローチの正面図（図１４の（ａ））と、背面図（図１４の（ｂ））と、側面図（図１４の（ｃ））である。
【符号の説明】
【００９５】２０、３０、４０、５０、６０      装飾品
２１、４１、５１、６１      第１の装飾部品
２１ａ、４１ａ、５１ａ、５２ｅ、６１ａ      宝飾部
２１ｂ、４１ｂ、５１ｂ、６１ｂ      台座部
２１ｃ、４１ｃ、５１ｃ、６１ｃ      取付部
２１ｄ、４１ｄ、５１ｄ      引掛け部
２２、３２、４２、５２、６２      第２の装飾部材
２２ａ、３２ａ、４２ａ、５２ａ、６２ａ      基体部
２２ｂ、３２ｂ、４２ｂ、５２ｂ、６２ｂ、６３ｅ      フック部
２２ｂ２、４２ｂ２、５２ｂ２、６２ｂ２      先端
２２ｃ、３２ｃ、４２ｃ、５２ｃ      切欠部
２２ｄ、３２ｄ１、３２ｄ２      穴
２３、４３、５３、６３      第３の装飾部材
３２ｅ      摺割部
４２ｅ      凹部
４２ｆ      第２のフック部
５１ｅ、６１ｅ      鎖部
５２ｄ、６２ｄ      板バネ
５２ｄ１      係合部
５２ｄ２      凹部
５２ｄ３、６２ｄ３      先端部
５３ａ      係合ピン
５３ｂ      ネックチェーン
６２ｄ１      係合凹部
６２ｄ２      凸部
６３ａ、６３ｂ      支柱
６３ｃ      係合軸
６３ｄ      取付けピン
【図１】
0003140698.tif 000003
【図２】
0003140698.tif 000004
【図３】
0003140698.tif 000005
【図４】
0003140698.tif 000006
【図５】
0003140698.tif 000007
【図６】
0003140698.tif 000008
【図７】
0003140698.tif 000009
【図８】
0003140698.tif 000010
【図９】
0003140698.tif 000011
【図１０】
0003140698.tif 000012
【図１１】
0003140698.tif 000013
【図１２】
0003140698.tif 000014
【図１３】
0003140698.tif 000015
【図１４】
0003140698.tif 000016
【手続補正書】
【提出日】平成19年12月14日(2007.12.14)
【手続補正１】
【補正対象書類名】実用新案登録請求の範囲
【補正対象項目名】全文
【補正方法】変更
【補正の内容】
【実用新案登録請求の範囲】
【請求項１】
少なくとも第１の装飾部材と第２の装飾部材と第３の装飾部材を有して、前記第１の装飾部材と前記第２の装飾部材と前記第３の装飾部材とを連結して係止する係止構造において、
前記第１の装飾部材は環状の引掛け部を有し、
前記第２の装飾部材は湾曲して外部に突出したフック部と該フック部の先端近傍に前記第３の装飾部材を係合させる係合手段を有しており、
前記第２の装飾部材の前記フック部に前記第１の装飾部材の前記環状の引掛け部を挿入し、その後に前記第２の装飾部材の前記係合手段に前記第３の装飾部材を係合させることによって、前記第１の装飾部材の前記環状の引掛け部が前記第２の装飾部材に係合した前記第３の装飾部材に当接して前記第２の装飾部材の前記フック部から外れないで、前記第１の装飾部材と前記第２の装飾部材と前記第３の装飾部材とが連結して係止されることを特徴とする装飾部材の係止構造。
【請求項２】
前記第２の装飾部材は前記フック部を有する部位に切欠部を有し、前記第１の装飾部材の前記環状の引掛け部を前記切欠部を介して前記フック部に挿入することを特徴とする請求項１に記載の装飾部材の係止構造。
【請求項３】
前記第２の装飾部材に有する係合手段は前記第３の装飾部材が適度な摩擦抵抗をもって挿嵌する穴からなることを特徴とする請求項１又は２に記載の装飾部材の係止構造。
【請求項４】
前記第２の装飾部材に有する係合手段は前記第３の装飾部材の両端を挟持する対向して設けた一対の第２のフック部からなることを特徴とする請求項１又は２に記載の装飾部材の係止構造。
【請求項５】
前記第２の装飾部材に有する係合手段は前記第３の装飾部材を押圧する板バネからなることを特徴とする請求項１又は２に記載の装飾部材の係止構造。
【請求項６】
前記第２の装飾部材に有する係合手段は前記第３の装飾部材を挟持する対向して設けた一対の板バネからなることを特徴とする請求項１又は２に記載の装飾部材の係止構造。
【請求項７】
前記第３の装飾部材は身体又は着衣に装着されることを特徴とする請求項１乃至６のいずれかに記載の装飾部材の係止構造。
【請求項８】
前記第３の装飾部材は複数条に巻回した線材からなることを特徴とする請求項１乃至３のいずれかに記載の装飾部材の係止構造。
【請求項９】
指輪、ブレスレッド、ネックレス、ブローチなどの装飾品において、前記装飾品は前記請求項１乃至８のいずれかに記載の装飾部材の係止構造を有することを特徴とする装飾品。
【手続補正２】
【補正対象書類名】明細書
【補正対象項目名】００４２
【補正方法】変更
【補正の内容】
【００４２】  また、線材は非常に細い金属線を複数束ねてロープ状に編み上げた線材でも良い。また、線材はプラスチック線を用いることもできる。プラスチック線としてはナイロン材、ＰＥＴ（ポリエチレンテレフタレート）材、フッ素樹脂材などのものが好適なものとして挙げることができる。プラスチック線は様々なカラー着色を施すことができるので所望の色合いの線材を得ることができるメリットがある。